(57)【要約】  【課題】  プリント処理装置の搬出口から搬出される幅の異なる複数種類のプリントの何れをも所定の姿勢で仕分け部の受け皿に搬送することが出来るプリント搬送装置を提供する。  【解決手段】  プリント処理されて搬出口から搬出される幅の異なる複数種類のプリントを、仕分け部の受け皿に搬送するための搬送コンベヤから構成されるプリント搬送装置において、搬送コンベヤの搬送ベルトに、この搬送ベルト上に搬出されるプリントの姿勢を規制するための規制ガイド部が幅の異なる複数種類の各プリントに対応するように複数設けた。  【選択図】  図４
2005140806.tif 000002
【特許請求の範囲】
【請求項１】
プリント処理されて搬出口から搬出される幅の異なる複数種類のプリントを、ソーターの受け皿に搬送するための搬送コンベヤから構成されるプリント搬送装置において、
搬送コンベヤの搬送ベルトには、この搬送ベルト上に搬出されるプリントの姿勢を規制するための規制ガイド部が幅の異なる複数種類の各プリントに対応するように複数設けられていることを特徴とする画像処理装置。
【発明の詳細な説明】
【技術分野】
【０００１】
本発明は、プリント処理装置のプリント搬出口とプリントの仕分けを行なう仕分け部との間に搭載されるプリント搬送装置に関する。
【背景技術】
【０００２】
一般に、この種のプリント搬送装置が搭載されるプリント処理装置は、プロセッサでの現像処理後、乾燥処理装置により乾燥処理されたプリントを搬出装置により搬出口から装置外のプリント搬送装置に搬出するようにしている。
【０００３】
そしてプリント搬送装置は、駆動ローラ間に無端状の搬送ベルトを架け渡し、駆動ローラの回転により、搬送ベルトを駆動ローラ間で周回させるようにした搬送コンベアから構成されているのであって、以上のプリント搬送装置では、プリント処理装置の搬出口から搬送ベルト上に搬出されたプリントを搬送ベルト上に載せて搬送して、仕分け部の受け皿に順次送り込むようにしている。（特許文献１参照）
また以上のプリント処理装置では、幅の異なる複数種類のプリントが処理されて、搬出口からプリント搬送装置のベルト上に搬出される。
【特許文献１】特開平７−５６７１号  ところで、プリントＰは、現像処理後において乾燥処理されるに伴い、トユ状にカールするものであるが、このようにトユ状にカールしたプリントが搬出口から搬送コンベヤの搬送ベルト上に載せられて搬送される際、搬送ベルト上でプリントが不用意に回転して、プリントが不揃いとなったり、場合によっては、仕分け部の受け皿に載らなくなるなどの不具合がある。
【発明の開示】
【発明が解決しようとする課題】
【０００４】
本発明は以上の実情に鑑みて開発したものであって、目的とするところは、プリント処理装置の搬出口から搬出される幅の異なる複数種類のプリントの何れをも所定の姿勢で仕分け部の受け皿に搬送することが出来るプリント搬送装置を提供するにある。
【課題を解決するための手段】
【０００５】
以上の目的を達成するために、請求項１に記載の発明は、プリント処理されて搬出口から搬出される幅の異なる複数種類のプリントを、仕分け部の受け皿に搬送するための搬送コンベヤから構成されるプリント搬送装置において、搬送コンベヤの搬送ベルトには、この搬送ベルト上に搬出されるプリントの姿勢を規制するための規制ガイド部が幅の異なる複数種類の各プリントに対応するように複数設けられていることを特徴とするものである。
【０００６】
請求項１に記載の発明のプリント搬送装置では、搬出口から搬出される幅の異なる複数種類のプリントのいずれにあっても、規制ガイド部によりその姿勢が不用意に変わるようなことなく仕分け部の受け皿に搬送される。
【発明の効果】
【０００７】
請求項１に記載の発明によれば、搬出口から搬出される幅の異なる複数種類のプリントのいずれにあっても、従来のように搬送ベルト上でプリントが不用意に回転するようなことなく、規制ガイド部により所定の姿勢で仕分け部の受け皿に搬送することが出来るので、
仕分け部の受け皿に綺麗に揃えて搬送することが出来る。
【発明を実施するための最良の形態】
【０００８】
図１は、本発明にかかるプリント搬送装置が搭載されたプリント処理装置の一例を概略的に示したものであって、このプリント処理装置は、基本的には、プリント用紙の一例である印画紙Ｐに画像をプリント処理するための写真処理部１と、写真処理部１で仕上がったプリント１０を仕分けるための仕分け部５とが備えられている。
【０００９】
写真処理部１は、
現像済フィルムをセットするためのフィルムマスクユニット２１、このフィルムマスクユニット２１にセットされた現像済フィルムのコマ画像を読み取るためのスキャナ２２、ＭＯなどの記録メディアに記録した画像データを読み取るための読み取り装置２３、スキャナ２２または読み取り装置２３で読み取った画像データに主として各種の画像処理を施すための画像処理部２４を搭載した画像処理機２と、
画像処理機２で処理された画像データにより、プリント用紙の一例である印画紙Ｐに画像を焼き付けるためのプリンター３と、
プリンター３で画像が焼き付けられた印画紙を現像するためのプロセッサ４とから構成されている。
【００１０】
画像処理機２に搭載されているスキャナ２２は、現像済フィルムをフィルムマスクユニット２１にセットすることにより、光源ユニット２０からの光を、フィルムマスクユニット２１にセットされた現像済フィルムに照射して各コマの画像を順次読み取って画像処理部２４に出力し、また画像処理部２４では、スキャナ２２または読み取り装置２３で読み取られた画像データに各種画像処理を施すようにしている。
【００１１】
画像処理部２４は、画像処理ソフトウエア等がインストールされたコンピュータから成るメインコントローラ２５と、メインコントローラ２５に各種情報を入力するためのキーボード２６ａ及びマウス２６ｂと、各種情報を表示するためのモニター２７とから構成されている。
【００１２】
そしてスキャナ２２若しくは読み取り装置２３により読み取られた画像データは、所定の処理プログラムとキーボード２６ａまたはマウス２６ｂにより入力されるプリントサイズなどの各種情報に基づいてメインコントローラ２５により適宜処理された後、順次プリントデータとしてプリンター３に搭載した後記のサブコントローラ３０に出力するようにしている。
【００１３】
プリンター３は、画像処理機２の画像処理部２４で作成されたプリントデータを印画紙Ｐに焼き付けるためのものであり、画像処理部２４から出力されたプリントデータなどを入力するためのサブコントローラ３０と、ロール状に巻かれた印画紙を充填したペーパーマガジン３１ａ・３１ｂと、ペーパーマガジン３１ａ・３１ｂから送り出される印画紙Ｐを搬送するための搬送機構３２と、搬送機構３２で搬送される印画紙Ｐにサブコントローラ３０を介して画像データを露光するための露光機構３３とが搭載されている。
【００１４】
そしてプリンター３では、メインコントローラ２５から出力されるプリントデータがサブコントローラ３０に入力されるに伴い、このサブコントローラ３０で、入力されるプリントデータに基づいて露光用データが生成されて、露光機構３３に出力されるようにしている。
【００１５】
尚、露光機構３３の方式としては、ＰＬＺＴシャッター方式やレーザービーム方式、液晶シャッター方式、蛍光ビーム方式等が知られており、仕様に応じて任意の方式を採択することが出来る。
【００１６】
プロセッサ４は、プリンター３で画像が焼き付け処理された印画紙Ｐを現像処理するための現像処理機構４１と、現像処理機構４１で現像処理された印画紙Ｐを乾燥するための乾燥処理機構４２と、
印画紙Ｐを乾燥処理して完成したプリント１０を搬出するための搬出機構４３と、搬出機構４３を介して後記する上部搬出口４３ｂから搬出されるプリント１０を仕分け部５の受け皿５１に搬送するための本発明にかかるプリント搬送装置６とが備えられている。
【００１７】
現像処理機構４１は複数の処理槽を備えており、これら処理槽には、現像液、漂白・定着液、安定化液等の各種処理液がそれぞれ個別に貯溜されている。
【００１８】
乾燥処理機構４２は、印画紙Ｐを乾燥するためのヒーターを備え、搬送機構（図示せず）で印画紙Ｐを搬送させる間に印画紙Ｐをヒーターによって適宜乾燥するようにしており、乾燥処理機構４２で乾燥されて出来上がったプリント１０は、後記する搬出装置６に送られるようになっている。
【００１９】
搬出機構４３は、プリント搬出方向切換え装置４３ａと、このプリント搬出方向切換え装置４３ａの下流側に位置する上下２つの搬出口４３ｂ・４３ｃと、乾燥処理機構４２で乾燥処理された印画紙紙Ｐを上部搬出口４３ｂから搬出するための第１搬出装置４３ｄと、乾燥処理機構４２で乾燥処理された印画紙Ｐを下部搬出口４３ｃから搬出するための第２搬出装置４３ｅとが備えられている。
【００２０】
そして以上の搬出機構４３では、第１搬出機構４３ｄにより、８９ｍｍ幅または１２７ｍｍ幅のプリントが二列で上部搬出口４３ｂから千鳥状に搬出され、１５２ｍｍ幅のプリントが一列で上部搬出口４３ｂから搬出されるようにしている。
【００２１】
尚、下部搬出口４３ｃからは、第２搬出装置４３ｅにより例えば四つ切や六つ切りなどの比較的大きなサイズの印画紙Ｐがトレイ４４上に搬出されるようにしている。
【００２２】
また仕分け部５は、図１にも示すように、多数の受け皿５１を備え、例えば１オーダー分プリントされた印画紙Ｐが最上部に位置する受け皿５１に搬送された段階で、その受け皿５１を駆動機構（図示せず）を介して下方に移送すると共に、続いて搬送されて来る印画紙Ｐを次の受け皿５１に収容するようにしている。
【００２３】
一方、本発明にかかるプリント搬送装置６は、搬送コンベヤから構成されているのであって、基本的には、駆動装置６０により回転駆動する前後一対の駆動ローラ６１・６２と、これら駆動ローラ６１・６２間に掛け渡した合成ゴム製の搬送ベルト６３と、両駆動ローラ６１・６２を回転自由に支持する支持枠６４とが備えられ、駆動装置６０の駆動は、メインコントローラ２５により制御するようにしている。
【００２４】
そして以上のプリント搬送装置６において、搬送ベルト６３の表面には、規制ガイド部７ａ・７ｂ・７ｃが幅の異なる複数種類の各プリント１０に対応するように複数設けられている。
【００２５】
この規制ガイド部７ａ・７ｂ・７ｃは、上部搬出口４３ｂからこの搬送ベルト６３上に搬出されたプリント１０が不用意に回転するなどしてその姿勢が変わるのを規制するためのものであって、具体的には、図４、図５にも示すように、搬送ベルト６３の表面に左右一対の第１ガイド突起７１と第２ガイド突起７２と第３ガイド突起７３と第４ガイド突起７４とを搬送ベルト６３の移動方向に所定間隔開けて設け、第１ガイド突起７１と第２ガイド突起７２との内法寸法Ｌ１を８９ｍｍよりも僅かに大きくして、これら第１ガイド突起７１と第２ガイド突起７２間を第１規制ガイド部７ａとし、また第２ガイド突起７２と第３ガイド突起７３との内法寸法Ｌ２を１２７ｍｍよりも僅かに大きくして、第２ガイド突起７２と第３ガイド突起７３間を第２規制ガイド部７ｂとし、更に第３ガイド突起７３と第４ガイド突起７４との内法寸法Ｌ３を１５２ｍｍよりも僅かに大きくして、第３ガイド突起７３と第４ガイド突起７４間を第３規制ガイド部７ｃとしている。
【００２６】
そしてメインコントローラ２５による駆動装置６０の制御により、上部搬出口４３ｂから搬出されるプリント１０の幅に対応した所定の規制ガイド部７ａ・７ｂ・７ｃのいずれかが上部搬出口４３ｂに位置するようにして上部搬出口４３ｂから搬出されるプリント１０を所定の規制ガイド部７ａ・７ｂ・７ｃ内に投入出来るようにしている、
また上部搬出口４３ｂからプリント１０が二列で千鳥状に搬出される場合には、メインコントローラ２５による駆動装置６０の制御により搬送ベルト６３を往復動させて、千鳥状に搬出される２列のプリント１０を規制ガイド部７ａ・７ｂ内に順次収容した後、仕分け部５に向けて搬送するようにしている。
【００２７】
また実施形態では、受け皿５１に投入されるプリント１０の整列性を損なうことがないように、プリント搬送装置６によるプリント１０の搬送時、プリント１０が仕分け部５の受け皿５１に投入される直前で搬送ベルト６３の移動速度を落とすようにしている。
【００２８】
以上のプリント処理装置にあっては、プリンター３において露光焼き付け処理が行なわれた例えば８９ｍｍ幅の印画紙Ｐは、プロセッサ４の現像処理機構４１において２列で搬送されながら現像処理が行なわれた後、乾燥処理機構４２で乾燥されて、搬出機構４３の第１搬出装置４３ｄを介して上部搬出口４３ｂから千鳥状に搬送ベルト６３上に搬出されるのであり、この時、メインコントローラ２５による駆動装置６０の制御により、搬送ベルト６３が往復動して、上部搬出口４３ｂから千鳥状に搬出される２列のプリント１０を第１規制ガイド部７ａ内に順次収容した後、搬送ベルト６３の第１規制ガイド部７ａを仕分け部５に向けて移動させて、この第１規制ガイド部７ａ内に積み重なっているプリント１０を受け皿５１に移しかえるのである。
【００２９】
尚、１２７ｍｍ幅のプリント１０が上部搬出口４３ｂから搬出される場合には、メインコントローラ２５による駆動装置６０の制御により、上部搬出口４３ｂから搬出されるプリント１０を第２規制ガイド部７ｂ内に順次収容した後、搬送ベルト６３の第２規制ガイド部７ｂを仕分け部５に向けて移動させて、この第２規制ガイド部７ｂ内に積み重なっているプリント１０を受け皿５１に移しかえるのであり、また１５２ｍｍ幅のプリント１０が上部搬出口４３ｂから搬出される場合には、メインコントローラ２５による駆動装置６０の制御により、上部搬出口４３ｂから搬出されるプリント１０を第３規制ガイド部７ｃ内に順次収容した後、搬送ベルト６３の第２規制ガイド部７ｃを仕分け部５に向けて移動させて、この第２規制ガイド部７ｃ内に積み重なっているプリント１０を受け皿５１に移しかえるのである。
【００３０】
斯くして、搬出口４３ｂから搬出される何れの幅のプリント１０にあっても、プリント１０の幅に対応した規制ガイド部７ａ・７ｂ・７ｃを介して搬送姿勢を崩すことなく適正な整列状態で、仕分け部５の受け皿５１に送り込むことが出来る。
【００３１】
以上の実施形態では、８９ｍｍ幅と１２７ｍｍ幅と１５２ｍｍ幅のプリントに対応するようにしたが、これに限定されるものではなく、その他の幅のプリントに対応するようにしてもよい。
【００３２】
また以上の実施形態では、プリント用紙として印画紙を用いたプリント処理装置に本発明の搬送装置を搭載するようにが、これに限定されるものではなく、印画紙以外のプリント用紙を用いたプリント処理装置に本発明の搬送装置を搭載してももよい。
【図面の簡単な説明】
【００３３】
【図１】本発明にかかるプリント搬送装置が搭載されたプリント処理装置の斜視図。
【図２】同、構成図。
【図３】同、要部を拡大して示す構成図。
【図４】同、要部を拡大して示す概略斜視図。
【図５】本発明にかかるプリント搬送装置の説明図。
【符号の説明】
【００３４】
１      写真処理部
１０    プリント
３      プリンタ−
４      プロセッサ
５      仕分け部
５１    受け皿
６      プリント搬送装置
６３    搬送ベルト
７ａ    第１規制ガイド部
７ｂ    第２規制ガイド部
７ｃ    第３規制ガイド部
【図１】
2005140806.tif 000003
【図２】
2005140806.tif 000004
【図３】
2005140806.tif 000005
【図４】
2005140806.tif 000006
【図５】
2005140806.tif 000007